(57)【要約】【課題】和服の上から着用した時に全く窮屈感がなく、着用したままで用足しが出来る新規な和服用雨除けモンペを提供する。【解決手段】防水性の生地によって、上半部の一側がＶ字状に開き、下端部が細くなった左右一対の概ね筒状のモンペ半割体３，３を形成し、両モンペ半割体３，３の上辺４，４の夫々一端部４ａ，４ａどうしを重ね合わせた状態で両モンペ半割体３ｐ３の上辺４，４全域に亘って腰帯５を取り付けることにより、前部から股部に亘って開放するモンペ本体２を形成し、このモンペ本体２に、腰帯５の両端部付近及びその中間部付近を掴んでモンペ本体２を肩から吊るすためのサスペンダー６を取り付ける。【選択図】図１
2005290643.tif 000002
【特許請求の範囲】
【請求項１】
防水性の生地によって、上半部の一側がＶ字状に開き、下端部が細くなった左右一対の概ね筒状のモンペ半割体を形成し、両モンペ半割体の上辺の夫々一端部どうしを重ね合わせた状態で両モンペ半割体の上辺全域に亘って腰帯を取り付けることにより、前部から股部に亘って開放するモンペ本体を形成し、このモンペ本体に、前記腰帯の両端部付近及びその中間部付近を掴んでモンペ本体を肩から吊るすためのサスペンダーを取り付けてなる和服用雨除けモンペ。
【請求項２】
前記腰帯の両端部を、両モンペ半割体の上辺の夫々他端部から所要長さ延出させてなる請求項１に記載の和服用雨除けモンペ。
【請求項３】
モンペ着用時には、腰帯の中間部付近をサスペンダーのクリップで掴持すると共に、着用者の体型に合わせて腰帯の両端部付近を重ね合わせて、この重ね合わせ部をサスペンダーの他のクリップで掴持するように構成してなる請求項１又は２に記載の和服用雨除けモンペ。
【請求項４】
用足し等の所要時には、腰帯の中間部付近をサスペンダーのクリップで掴持すると共に、腰帯の両端部を夫々別個にサスペンダーの他のクリップで掴持してモンペ本体を吊持するように構成してなる請求項１〜３の何れかに記載の和服用雨除けモンペ。
【発明の詳細な説明】
【技術分野】
【０００１】
本発明は、和服の上からはいて使用する和服用雨除けモンペに関するものである。
【背景技術】
【０００２】
従来の和服用雨除けモンペとして、例えば特許文献１に記載されたようなものがある。これは、左右一対の前布及び後布を所要箇所で縫製し、下半部が二股状に分かれた筒状を成すモンペで、各前布及び後布を防水加工布で形成したものである。このモンペを雨天時に和服の上からはいて使用すれば、和服を濡らしたり、汚したりするのを防止出来ると云うものである。
【特許文献１】実開昭６３−９４９１３号公報
【発明の開示】
【発明が解決しようとする課題】
【０００３】
特許文献１に記載されている雨除けモンペは、主要部を構成する前布及び後布が防水加工布で形成されているだけで、従来より主として農作業時に着用されているモンペと何ら変わらない構造であるから、和服の上から着用する時にはきにくい上に、はいた状態でも非常に窮屈な感じを与え、しかもモンペをはいたままの状態ではトイレで用足しが出来ない、と云う問題がある。
【０００４】
本発明は、和服の上から着用した時に全く窮屈感がない上に、着用したままで用足しが出来る新規な和服用雨除けモンペを提供することを目的とする。
【課題を解決するための手段】
【０００５】
上記課題を解決するための手段を、後述する実施形態の参照符号を付して説明すると、防水性の生地によって、上半部の一側がＶ字状に開き、下端部が細くなった左右一対の概ね筒状のモンペ半割体３，３を形成し、両モンペ半割体３，３の上辺４，４の夫々一端部４ａ，４ａどうしを重ね合わせた状態で両モンペ半割体３，３の上辺４，４全域に亘って腰帯５を取り付けることにより、前部から股部に亘って開放するモンペ本体２を形成し、このモンペ本体２に、前記腰帯５の両端部付近及びその中間部付近を掴んでモンペ本体２を肩から吊るすためのサスペンダー６を取り付けてなることを特徴とする。
【０００６】
請求項２は、請求項１に記載の和服用雨除けモンペにおいて、前記腰帯５の両端部５ａ，５ａを、両モンペ半割体３，３の上辺４，４の夫々他端部４ｂ，４ｂから所要長さ延出させてなることを特徴とする。
【０００７】
請求項３は、請求項１又は２に記載の和服用雨除けモンペにおいて、モンペ着用時には、腰帯５の中間部付近をサスペンダー６のクリップ１１で掴持すると共に、着用者の体型に合わせて腰帯５の両端部５ａ，５ａ付近を重ね合わせて、この重ね合わせ部をサスペンダー６の他のクリップ１１で掴持するように構成してなることを特徴とする。
【０００８】
請求項４は、請求項１〜３の何れかに記載の和服用雨除けモンペにおいて、用足し等の所要時には、腰帯５の中間部付近をサスペンダー６のクリップ１１で掴持すると共に、腰帯５の両端部５ａ，５ａを夫々別個にサスペンダー６の他のクリップ１１で掴持してモンペ本体２を吊持するように構成してなることを特徴とする。
【発明の効果】
【０００９】
上記解決手段による発明の効果を、後述する実施形態の参照符号を付して説明すると、請求項１に係る発明によれば、モンペ本体２の前部から股部に亘って開放しているから、和服Ｋの上から着用した時に全く窮屈感がなく、そして着用したままで用足しすることが出来る効果を奏する。
【００１０】
また、モンペ本体２の形成にあたり、両モンペ半割体３，３の上辺４，４の夫々一端部４ａ，４ａどうしを重ね合わせた状態で、両モンペ半割体３ｐ３の上辺４，４全域に腰帯５を取り付けるようにするから、モンペ本体２の前部から股部に亘って開放しているにも係わらず、着用する時に、腰帯５の両端部５ａ，５ａを重ね合わせて適宜に調整すれば、モンペ本体２の後部である尻部を、前部とともに、開かないように閉じ合わせることが出来、外観上の体裁、見栄えも良い。
【００１１】
請求項２に係る発明の和服用雨除けモンペ１によれば、腰帯５の両端部５ａ，５ａを、両モンペ半割体３，３の上辺４，４の夫々他端部４ｂ，４ｂから所要長さ延出させているから、モンペ１を着用する際に、着用者の腰回りに応じて腰帯５の長さを調整することができると共に、その調整作業が容易となり、また腰帯５の両端部付近をサスペンダー６で止着するのが容易となる。
【００１２】
請求項３に係る発明によれば、モンペ着用時には、腰帯５の中間部付近をサスペンダー６のクリップ１１で掴持すると共に、着用者の体型に合わせて腰帯５の両端部５ａ，５ａ付近を重ね合わせて、この重ね合わせ部をサスペンダー６の他のクリップ１１で掴持するように構成したから、着用者の体型に応じて的確に且つ美観を損なうことなく着用出来ると共に、モンペ本体２の前部から股部に亘って開いているにもかかわらず、モンペ本体２の後部である尻部を、前部と共に、開かないように閉じ合わせることが出来るので、体裁を悪くするようなことがない。
【００１３】
請求項４に係る発明によれば、用足し等の所要時には、腰帯５の中間部付近をサスペンダー６のクリップ１１で掴持するとともに、腰帯５の両端部５ａ，５ａを夫々別個にサスペンダー６の他のクリップ１１で掴持してモンペ本体２を吊持するように構成したから、用足しをする際には、腰帯５の中間部付近をサスペンダー６のクリップ１２，１２で掴持したまま、腰帯５の両端部付近の重ね合わせ部分を掴持していたクリップ１１，１２を開放して、腰帯５の両端部５ａ，５ａを互いに引き離し、その両端部５ａ，５ａを夫々別個にクリップ１１，１１で掴持することによって、着用者は雨除けモンペ１をはいたままで用足しすることが出来る。
【発明を実施するための最良の形態】
【００１４】
以下に本発明の好適な実施形態を図面を参照して説明すると、図１は本発明に係る和服用雨除けモンペ１を示す斜視図、図２の(a) は雨除けモンペ１のモンペ本体２を左右方向に引っ張って広げた状態を前側から見た図面、(b) は同状態を後側から見た図面である。図３はモンペ本体２の製作方法を説明する説明図である。
【００１５】
この和服用雨除けモンペ１は、図１〜図３から分かるように、防水性の生地によって、上半部の一側がＶ字状に開き、下半部がその下端へと漸次細くなった左右一対の概ね筒状のモンペ半割体３，３を形成し、両モンペ半割体３，３の上辺４，４の夫々一端部どうしを重ね合わせると共に、両モンペ半割体３，３の上辺４，４全域に亘って腰帯５を取り付けることにより、前部から股部に亘って開放するモンペ本体２を形成し、このモンペ本体２に、前記腰帯５の両端部付近及びその中間部付近を掴んでモンペ本体２を着用者の肩から吊るすためのサスペンダー６を取り付けてなるものである。
【００１６】
この雨除けモンペ１の製作方法について更に説明すると、先ず、各モンペ半割体３は、防水加工を施された一枚の生地を所要形状に裁断し、適宜に縫製加工することによって、図１〜図３に示すように、上半部の一側がＶ字状に開き、下半部がその下端へと漸次細くなった左右一対の概ね筒状体とする。このモンペ半割体３のＶ字状開口部を図中に７で示し、また足首を形成するモンペ半割体３の下端絞り部を図１及び図２３ｏで示す。
【００１７】
次に、図３から分かるように、上記のように形成した２つのモンペ半割体３，３の上辺４，４の夫々一端部４ａ，４ａどうしを重ね合わせた状態とし、この状態でモンペ半割体３と同じく防水加工された生地からなる二つ折りされた腰帯５を、両モンペ半割体３，３の上辺４，４の全域に亘って被包するように逢着することによって、図１に示すように当該モンペ本体２の前部から股部に亘って開放するモンペ本体２を形成する。
【００１８】
図１及び図２の(a) から分かるように、腰帯５の両端部５ａ，５ａは、両モンペ半割体３，３の上辺４，４の夫々他端部４ｂ，４ｂから所要長さ延出させている。このように腰帯５の両端部５ａ，５ａを所要長さ延出したことにより、モンペ１を着用する際に、着用者の腰回りに応じて腰帯５の長さを調整することができると共に、その調整作業が容易となり、また腰帯５の両端部付近をサスペンダー６で止着するのが容易となる。
【００１９】
サスペンダー６は、周知構造のもので、図１に示すように、２本の弾性帯９，９をクロス金具１０によってクロスさせ、各弾性帯９には夫々両端部にクリップ１１，１２を取り付け、中間部に長さ調節スライドバックル１３を取り付けてなるもので、クリップ１１は腰帯５の端部５ａ付近を、またクリップ１２は腰帯５の中間部付近を夫々掴持するようになっている。
【００２０】
本発明に係る和服用雨除けモンペ１は、モンペ着用時には、図７の(a) に示すように、腰帯５の中間部付近をサスペンダー６のクリップ１１で掴持すると共に、着用者の体型に合わせて腰帯５の両端部５ａ，５ａ付近を重ね合わせて、この重ね合わせ部をサスペンダー６の他のクリップ１１で掴持するように構成されており、また用足し等の所要時には、図７の(b) に示すように、腰帯５の中間部付近をサスペンダー６のクリップ１１で掴持すると共に、腰帯５の両端部５ａ，５ａを夫々別個にサスペンダー６の他のクリップ１１で掴持してモンペ本体２を吊持するように構成されている。
【００２１】
上記のように構成される和服用雨除けモンペ１の使用方法について説明すると、図４の(a) は雨除けモンペ１を着用する前の和服Ｋを着た女性を示し、(b) はその女性が雨除けモンペ１を着用した状態を前部側から見た図であり、図５は同じく雨除けモンペ１を着用した状態を後部（背面）側から見た図である。
【００２２】
使用にあたり、雨除けモンペ１は、モンペ本体２の背面側に位置する腰帯５の中間部付近をサスペンダー６のクリップ１１で掴持して、図１に示す状態とする。しかして、着用者である女性は、モンペ本体２の前部を開いた前あき状態で、和服Ｋの合わせ部分を裾側より開いて少し捲くり上げながら、両モンペ半割体３，３内に両足を入れてモンペ本体２を引き上げ、図７の(a) に示すように、自分の腰回りに応じて腰帯５の両端部５ａ，５ａ付近を適宜に重ね合わせた状態で、この重ね合わせ部をサスペンダー６のクリップ１１で掴持すればよい。
【００２３】
このように和服Ｋの上から雨除けモンペ１をはく時には、モンペ１がその前部から股部に亘って開放しているため、非常にはき易くなる。また、腰帯５の両端部５ａ，５ａが両モンペ半割体３，３の上辺４，４の他端部４ｂ，４ｂから所要長さ延出しているために、モンペ１を着用する際に、着用者の腰回りに応じて腰帯５の長さを調整することができると共に、その調整作業が容易となり、また腰帯５の両端部付近をサスペンダー６で止着するのが容易となる。
【００２４】
図６はトイレで用足しをする際の雨除けモンペ１の使用方法を示している。即ち、この用足しをする際には、腰帯５の中間部付近をサスペンダー６のクリップ１２，１２で掴持したまま、腰帯５の両端部付近の重ね合わせ部分を掴持していたクリップ１１，１１を開放して、図６更に図７の(b) に示すように腰帯５の両端部５ａ，５ａを互いに引き離し、その両端部５ａ，５ａを夫々別個にクリップ１１，１１で掴持することによって、モンペ本体２は、着用者の肩に掛けたサスペンダー６で吊持されていながら、モンペ本体２の前部から股部に亘って開放しているから、着用者は、この雨除けモンペ１を脱ぐことなく、はいたままで、図６に示すように便器Ｔの上に座って楽に用足しを行うことが出来る。
【００２５】
この雨除けモンペ１は、モンペ本体２の形成にあたって、図２の(a) 及び(b) に示すように、両モンペ半割体３，３の上辺４，４の夫々一端部４ａ，４ａどうしを重ね合わせた状態で、両モンペ半割体３ｐ３の上辺４，４全域に腰帯５を取り付けるようにするから、モンペ本体２の前部から股部に亘って開放しているにも係わらず、着用する時に腰帯５の両端部５ａ，５ａを重ね合わせて適宜に調整すれば、モンペ本体２の後部である尻部を、前部とともに、開かないように閉じ合わせることが出来、従って外観上の体裁、見栄えも良い。
【００２６】
図８は、図４及び図５に示すように和服Ｋに雨除けモンペ１をはいた後、更にその上から和服用雨除け七分コートＧを羽織った状態を示している。この七分コートＧは従来より一般に使用されているもので、本発明に係る雨除けモンペ１を着用する際には、このような七分コートＧを併用することによって、雨天時には和服Ｋを雨から有効に保護することが出来る。
【図面の簡単な説明】
【００２７】
【図１】本発明に係る和服用雨除けモンペ１を示す斜視図である。
【図２】(a) は雨除けモンペ１のモンペ本体２を左右方向に引っ張って広げた状態を前側から見た図面、(b) は同状態を後側から見た図面である。
【図３】モンペ本体２の製作方法を説明する説明図である。
【図４】(a) は雨除けモンペ１を着用する前の和服Ｋを着た女性を示し、(b) はその女性が雨除けモンペ１を着用した状態を前部側から見た図である。
【図５】同じく雨除けモンペ１を着用した状態を後部側から見た図である。
【図６】用足しをする際の雨除けモンペ１の使用方法を示す斜視図である。
【図７】(a) は腰帯５の両端部付近をサスペンダー６のクリップで掴持した状態を示す斜視図、(b) は腰帯５の両端部を互いに引き離し、その両端部を夫々別個にクリップで掴持した状態を示す斜視図である。
【図８】雨除けモンペ１の上から和服用雨除け七分コートＧを羽織った状態を示す斜視図である。
【符号の説明】
【００２８】
１          和服用雨除けモンペ
２          モンペ本体
３          モンペ半割体
４          モンペ半割体の上辺
５          腰帯
６          サスペンダー
１１        サスペンダーのクリップ
１２        サスペンダーのクリップ
【図１】
2005290643.tif 000003
【図２】
2005290643.tif 000004
【図３】
2005290643.tif 000005
【図４】
2005290643.tif 000006
【図５】
2005290643.tif 000007
【図６】
2005290643.tif 000008
【図７】
2005290643.tif 000009
【図８】
2005290643.tif 000010